(57)【要約】      （修正有）【課題】被施術者の仙骨部に与える電気刺激を細かく調整でき、かつ、施術時における施術者の手離れがよい電気刺激装置を提供する。【解決手段】被施術者Ｍの仙骨部を皮膚面から電気刺激するための電気刺激装置１は、仙骨部の皮膚面に接触させる仙骨用通電パッド２と、仙骨部以外の部位の皮膚面に接触させる通電マット３と、仙骨用通電パッド３と通電マット３とがそれぞれケーブル４０１、４０２を介して電気的に接続されるとともに、仙骨用通電パッド２と通電マット３とを介して被施術者Ｍに通電可能に構成された装置本体部４とを有する。装置本体部４は、電流の最大出力がそれぞれ異なる複数の出力レベルのうちから１つの出力レベルを選択するための出力レベル選択部と、選択された出力レベルに応じた電流を、最小出力から、選択された出力レベルにおける最大出力までの範囲内で、徐々に調整するための調整部４２とを有する。【選択図】図１
0003217111.tif 000002
【実用新案登録請求の範囲】
【請求項１】
被施術者の仙骨部を皮膚面から電気刺激するための電気刺激装置であって、
上記仙骨部の上記皮膚面に接触させる仙骨用通電パッドと、
上記被施術者の上記仙骨部以外の部位の皮膚面に接触させる通電マットと、
上記仙骨用通電パッドと上記通電マットとがそれぞれ別々のケーブルを介して電気的に接続されるとともに、上記仙骨用通電パッドと上記通電マットとを介して上記被施術者に通電可能に構成された装置本体部と、を有しており、
上記装置本体部は、
電流の最大出力がそれぞれ異なる複数の出力レベルのうちから１つの上記出力レベルを選択するための出力レベル選択部と、
選択された上記出力レベルに応じた上記電流を、最小出力から、選択された上記出力レベルにおける上記最大出力までの範囲内で、徐々に調整するための調整部と、
を有する、電気刺激装置。
【請求項２】
複数の上記出力レベルのうち、上記電流の上記最大出力が最大であるものを最大出力レベルとし、上記電流の上記最大出力が最小であるものを最小出力レベルとしたとき、
複数の上記出力レベルは、上記最小出力レベルから上記最大出力レベルまでレベルが上がる毎に、段階的に上記電流の上記最大出力が大きくなるように構成されている、請求項１に記載の電気刺激装置。
【請求項３】
上記調節部は、調節ダイヤルを有しており、
上記調節ダイヤルが一方側に最も回された状態で、選択された上記出力レベルにおける上記電流が上記最小出力となり、
上記調節ダイヤルが上記一方側とは反対側の他方側に最も回された状態で、選択された上記出力レベルにおける上記電流が上記最大出力となるよう構成されている、請求項１または２に記載の電気刺激装置。
【請求項４】
上記調節ダイヤルが最も右側に回された状態で、選択された上記出力レベルにおける上記電流が上記最小出力となり、
上記調節ダイヤルが最も左側に回された状態で、選択された上記出力レベルにおける上記電流が上記最大出力となるよう構成されている、請求項３に記載の電気刺激装置。
【請求項５】
上記仙骨用通電パッドは、電極層と、上記電極層の一方層面に積層された導電性粘着層と、を有している、請求項１〜４のいずれか１項に記載の電気刺激装置。
【請求項６】
上記仙骨用通電パッドは、上記電極層の他方層面に積層された粘着性スポンジ層と、上記電極層側とは反対側の上記粘着性スポンジ層の層面に積層されたプラスチックフィルム層と、をさらに有している、請求項５に記載の電気刺激装置。
【請求項７】
上記電極層の長さは、７０ｍｍ以上１５０ｍｍ以下、上記電極層の幅は、５０ｍｍ以上８０ｍｍ以下である、請求項５または６に記載の電気刺激装置。
【請求項８】
上記仙骨用通電パッドは、上記ケーブルの一端に設けられたコネクタを介して取り外し可能に接続される、請求項１〜７のいずれか１項に記載の電気刺激装置。
【請求項９】
上記装置本体部は、少なくとも１つの第１端子と、１つの第２端子とを有しており、
上記仙骨用通電パッドに接続された上記ケーブルの端部に設けられた第１コネクタが、上記第１端子の１つに接続され、
上記通電マットに接続された上記ケーブルの端部に設けられた第２コネクタが、上記第２端子に接続される、請求項１〜８のいずれか１項に記載の電気刺激装置。
【請求項１０】
上記通電マットは、導電性布と、上記導電性布の一方面に積層された防水布と、を有している、請求項１〜９のいずれか１項に記載の電気刺激装置。
【考案の詳細な説明】
【技術分野】
【０００１】
本考案は、電気刺激装置に関する。
【背景技術】
【０００２】
従来、例えば、特許文献１には、エネルギーウェーブ発生器と、このエネルギーウェーブ発生器に電線によって連結された２つの電気伝導片（電極）とを有する電気刺激装置が開示されている。同文献には、一方の電気伝導片の上にマッサージを受ける者の足部を裸足の状態で置くとともに、他方の電気導電片を美容師（又はマッサージ師）が裸足で踏み、マッサージを受ける者に美容師（又はマッサージ師）の両手が接触することにより、電気刺激によるマッサージの効能が提供される点が記載されている。
【先行技術文献】
【特許文献】
【０００３】
【特許文献１】実用新案登録第３１１９７８２号公報
【考案の概要】
【考案が解決しようとする課題】
【０００４】
ところで、近年、人間の仙骨部に電気刺激を与えることで、例えば、不妊症治療、過活動膀胱や便尿失禁の症状改善などを図る研究がなされている。仙骨部は、身体の要として全身の機能（筋肉、内臓、器官等）をコントロールしている重要な部位として知られている。そのため、被施術者の仙骨部を皮膚面から電気刺激する場合、被施術者に通電する電流をできる限り細かく調整したいという施術者の要望がある。
しかしながら、従来知られる電気刺激装置は、被施術者に通電する電流の出力レベルを被施術者の身体状態に適合するよう段階的に上げた場合に、出力レベル毎に段階的に出力が大きくなるように割り当てられた各電流がそのまま出力される。つまり、選択された出力レベルで予め設定されている電流が最大出力のまま被施術者に通電される。そのため、この種の電気刺激装置は、仙骨部の電気刺激に適用することが難しい。
【０００５】
また、従来の電気刺激装置は、施術者の体が電流経路の一部となっているため、施術者の両手が被施術者から離れると、被施術者への施術ができなくなる。そのため、被施術者１人に対して施術者が１人必ず必要であり、被施術者への施術時における施術者の手離れが悪い。
【０００６】
本考案は、かかる課題に鑑みてなされたものであり、被施術者の仙骨部に与える電気刺激を細かく調整することができ、かつ、施術時における施術者の手離れがよい電気刺激装置を提供しようとするものである。
【課題を解決するための手段】
【０００７】
本考案の一態様は、被施術者の仙骨部を皮膚面から電気刺激するための電気刺激装置であって、
上記仙骨部の上記皮膚面に接触させる仙骨用通電パッドと、
上記被施術者の上記仙骨部以外の部位の皮膚面に接触させる通電マットと、
上記仙骨用通電パッドと上記通電マットとがそれぞれ別々のケーブルを介して電気的に接続されるとともに、上記仙骨用通電パッドと上記通電マットとを介して上記被施術者に通電可能に構成された装置本体部と、を有しており、
上記装置本体部は、
電流の最大出力がそれぞれ異なる複数の出力レベルのうちから１つの上記出力レベルを選択するための出力レベル選択部と、
選択された上記出力レベルに応じた上記電流を、最小出力から、選択された上記出力レベルにおける上記最大出力までの範囲内で、徐々に調整するための調整部と、
を有する、電気刺激装置にある。
【考案の効果】
【０００８】
上記電気刺激装置は、上記構成を有している。そのため、施術者は、上記電気刺激装置を、例えば以下のように操作し、被施術者の仙骨部を皮膚面から電気刺激することができる。
【０００９】
先ず、被施術者の仙骨部の皮膚面に仙骨用通電パッドを接触させる。また、下腹部の皮膚面等、被施術者の仙骨部以外の皮膚面に通電マットを接触させる。
【００１０】
次いで、出力レベル選択部にて選択した出力レベルに応じた電流が選択した出力レベルにおける最大出力のまま装置本体部から出力されるのを避けるため、選択した出力レベルにおける最大出力の電流が、初めは最小出力で装置本体部から出力されるように、調整部を予め操作して調整しておく。
【００１１】
次いで、出力レベル選択部にて、電流の最大出力がそれぞれ異なる複数の出力レベルのうちから出力レベルを１つ選択する。その後、選択した出力レベルに応じた電流を発生させる。
【００１２】
次いで、調整部を操作することにより、選択した出力レベルに応じた電流を、最小出力から、選択された出力レベルにおける最大出力まで、徐々に調整する。これにより、被施術者の身体の状態に合わせて、被施術者に通電する電流をできる限り細かく調整しながら、仙骨部を皮膚面から電気刺激することができる。
【００１３】
なお、最初に選択した出力レベルとは異なる出力レベルを選択し直す場合には、例えば、最初に選択した出力レベルにおける電流を、調節部にて最小出力とした後、異なる出力レベルを選択し、上記と同様の操作を実施すればよい。
【００１４】
このように、上記電気刺激装置によれば、被施術者の仙骨部に与える電気刺激を細かく調整することができる。
【００１５】
また、上記電気刺激装置は仙骨用通電パッドと通電マットとを有しているので、施術者が１人の被施術者にかかりきりになることがなくなり、施術時における施術者の手離れがよい。それ故、上記電気刺激装置によれば、施術者１人で同じ時間帯に、複数の被施術者に対応することが可能となり、人件費等のコストの低減に有利である。また、上記電気刺激装置によれば、被施術者自身が上記電気刺激装置を操作して、被施術者の仙骨部に電気刺激を与えることも可能になる。
【図面の簡単な説明】
【００１６】
【図１】実施形態１の電気刺激装置の概略構成を示した説明図である。
【図２】（ａ）は、実施形態１の電気刺激装置が有する仙骨用通電パッドを被施術者の仙骨部の皮膚面に接触させた状態を示した説明図であり、（ｂ）は、実施形態１の電気刺激装置が有する通電マットを被施術者の下腹部の皮膚面に接触させた状態を示した説明図である。
【図３】実施形態１の電気刺激装置が有する装置本体部を模式的に示した説明図である。
【図４】実施形態１の電気刺激装置が有する装置本体部の調整部の機能を説明するための説明図である。
【図５】実施形態１の電気刺激装置が有する仙骨用通電パッドを、仙骨部の皮膚面へ接触させる側から見た説明図である。
【図６】図５におけるＶＩ−ＶＩ線断面を示した説明図である。
【図７】実施形態１の電気刺激装置が有する仙骨用通電パッドに接続させるためのケーブルの一端に設けられたコネクタの説明図であり、（ａ）は、仙骨用通電パッド側から見たクリップ部を倒す前の状態のコネクタ、（ｂ）は、仙骨用通電パッド側から見たクリップ部を倒した状態のコネクタ、（ｃ）は、クリップ部を倒した状態のコネクタを上方から見たものである。
【図８】実施形態１の電気刺激装置が有する通電マットを、被施術者へ接触させる側から見た説明図である。
【図９】図８におけるＩＸ−ＩＸ線断面を模式的に示した説明図である。
【考案を実施するための形態】
【００１７】
（実施形態１）
実施形態１の電気刺激装置について、図１〜図９を用いて説明する。図１に例示されるように、本実施形態の電気刺激装置１は、被施術者Ｍの仙骨部を皮膚面から電気刺激するための装置である。電気刺激装置１は、仙骨用通電パッド２と、通電マット３と、装置本体部４と、を有している。
【００１８】
図２に例示されるように、仙骨用通電パッド２は、被施術者Ｍの仙骨部の皮膚面に接触させるためのものである。また、通電マット３は、被施術者Ｍの仙骨部以外の部位の皮膚面に接触させるためのものである。図２では、具体的には、通電マット３を、被施術者Ｍの腹部の皮膚面、より具体的には、被施術者Ｍの下腹部の皮膚面に接触させる例が示されている。このような配置によれば、仙骨用通電パッド２と通電マット３との間に仙骨部が配置されるので、仙骨部に対して効果的に電気刺激を与えることができる。
【００１９】
図１に例示されるように、装置本体部４には、仙骨用通電パッド２がケーブル４０１を介して電気的に接続される。また、装置本体部４には、通電マット３がケーブル４０２を介して電気的に接続される。装置本体部４は、仙骨用通電パッド２と通電マット３とを介して被施術者Ｍに通電可能に構成される。つまり、仙骨用通電パッド２と通電マット３とは、一対の電極として機能するよう構成される。
【００２０】
なお、装置本体部４は、具体的には、コンセント部（不図示）を介して外部の交流電源（不図示）に接続されることができ、種々の公知技術を使用して回路基板を構成することにより、複数段階の強さの異なる電流を発生可能に構成されることができる。装置本体部４は、直流電流、交流電流のいずれの電流を出力可能に構成されていてもよい。本実施形態では、装置本体部４は、直流電流を出力可能とされている。また、出力される電流は、好ましくは、仙骨部に電気的な振動を与えるなどの観点から、パルス電流とすることができる。
【００２１】
ここで、図３に例示されるように、装置本体部４は、出力レベル選択部４１を有している。出力レベル選択部４１は、電流の最大出力がそれぞれ異なる複数の出力レベルのうちから１つの出力レベルを選択するための部位である。以下、本実施形態では、４段階の出力レベルから１つの出力レベルを選択する場合を例に用いて説明するが、これに限定されるものではない。
【００２２】
図４に例示されるように、４段階の出力レベルは、出力レベル１、出力レベル２、出力レベル３、および、出力レベル４の４つのレベルから構成されている。各出力レベルは、それぞれ電流の最大出力が異なっている。具体的には、出力レベル１における電流の最大出力をＩ１，ＭＡＸ、出力レベル２における電流の最大出力をＩ２，ＭＡＸ、出力レベル３における電流の最大出力をＩ３，ＭＡＸ、出力レベル４における電流の最大出力をＩ４，ＭＡＸとしたとき、各出力レベルにおける電流の最大出力は、Ｉ１，ＭＡＸ＜Ｉ２，ＭＡＸ＜Ｉ３，ＭＡＸ＜Ｉ４，ＭＡＸの関係を満たすように構成されている。より具体的には、Ｉ１，ＭＡＸはＩ４，ＭＡＸの０．２５倍（２５％）、Ｉ２，ＭＡＸはＩ４，ＭＡＸの０．５倍（５０％）、Ｉ３，ＭＡＸはＩ４，ＭＡＸの０．７５倍（７５％）に設定されている。
【００２３】
本実施形態では、４段階の出力レベルのうち、電流の最大出力が最大である出力レベル４が、最大出力レベルとされる。一方、４段階の出力レベルのうち、電流の最大出力が最小である出力レベル１が、最小出力レベルとされる。なお、最小出力レベルの出力レベル１と最大出力レベルの出力レベル４との間にある出力レベル２、出力レベル３は、中間出力レベルとされている。このように、複数の出力レベルは、最小出力レベルから最大出力レベルまでレベルが上がる毎に、段階的に電流の最大出力が大きくなるように構成されている。
【００２４】
なお、本実施形態では、出力レベル１における電流の最小出力をＩ１，ＭＩＮ、出力レベル２における電流の最小出力をＩ２，ＭＩＮ、出力レベル３における電流の最小出力をＩ３，ＭＩＮ、出力レベル４における電流の最小出力をＩ４，ＭＩＮとしたとき、各出力レベルにおける電流の最小出力は、Ｉ１，ＭＩＮ≒Ｉ２，ＭＩＮ≒Ｉ３，ＭＩＮ≒Ｉ４，ＭＩＮの関係を満たすように構成されている。ここでは、具体的には、Ｉ１，ＭＩＮ、Ｉ２，ＭＩＮ、Ｉ３，ＭＩＮ、Ｉ４，ＭＩＮは、いずれも微弱電流が流れる程度の電流出力に設定されている。
【００２５】
本実施形態において、装置本体部４は、図３に例示されるように、タッチパネル形式の表示部４０を有することができる。ここでは、施術者（不図示）は、表示部４０を介して、出力レベル選択部４１の出力レベルを選択可能とされている。具体的には、表示部４０に表示されたプラス部位４１１が施術者によってタッチされることで、出力レベルを段階的に上げることでき、表示部４０に表示されたマイナス部位４１２が施術者によってタッチされることで、出力レベルを段階的に下げることができるよう構成されている。図３では、出力レベル２が選択されている例が示されている。なお、出力レベルをキー入力することによって出力レベルを決定する場合等も、出力レベルの選択に含まれる。
【００２６】
本実施形態において、装置本体部４は、図３に例示されるように、電流の出力を開始するスタート部４３を有することができる。ここでは、表示部４０に表示されたスタートボタン４３０が施術者によってタッチされることで、電流の出力を開始することができるよう構成されている。また、装置本体部４は、電流の出力を一時的に停止させる一時停止部４４を有することができる。ここでは、表示部４０に表示された一時停止ボタン４４０が施術者によってタッチされることで、電流の出力を一時的に停止させることができるよう構成されている。また、装置本体部４は、電流の出力を停止させる停止部４５を有することができる。ここでは、表示部４０に表示された停止ボタン４５０が施術者によってタッチされることで、電流の出力を停止させることができるよう構成されている。また、装置本体部４は、所定の時間経過した後に電流の出力を停止させるタイマー部４６を有することができる。ここでは、表示部４０に表示されたプラス部位４６１が施術者によってタッチされることで、通電時間を増加させることでき、表示部４０に表示されたマイナス部位４６２が施術者によってタッチされることで、通電時間を減少させることができるよう構成されている。なお、図３では、通電時間が３０分００秒に設定された例が示されている。
【００２７】
装置本体部４は、図３に例示されるように、調整部４２を有している。本実施形態では、調整部４２は、具体的には、調整ダイヤルより構成されている。調整部４２は、選択された出力レベルに応じた電流を、最小出力から、選択された出力レベルにおける最大出力まで、徐々に調整するためのものである。なお、「徐々に調整する」には、段階的に調整する場合を含むものとする。
【００２８】
図４を用いて具体的に説明すると、本実施形態において、出力レベル１が選択されている場合には、施術者によって調整部４２が操作されることにより、出力レベル１の最小出力Ｉ１，ＭＩＮから最大出力Ｉ１，ＭＡＸまでの範囲内で、出力レベル１の電流が徐々に調整されるように構成されている。同様に、出力レベル２が選択されている場合には、施術者によって調整部４２が操作されることにより、出力レベル２の最小出力Ｉ２，ＭＩＮから最大出力Ｉ２，ＭＡＸまでの範囲内で、出力レベル２の電流が徐々に調整されるように構成されている。また、出力レベル３が選択されている場合には、施術者によって調整部４２が操作されることにより、出力レベル３の最小出力Ｉ３，ＭＩＮから最大出力Ｉ３，ＭＡＸまでの範囲内で、出力レベル３の電流が徐々に調整されるように構成されている。また、出力レベル４が選択されている場合には、施術者によって調整部４２が操作されることにより、出力レベル４の最小出力Ｉ４，ＭＩＮから最大出力Ｉ４，ＭＡＸまでの範囲内で、出力レベル４の電流が徐々に調整されるように構成されている。
【００２９】
本実施形態では、調節部４２としての調節ダイヤルが一方側に最も回された状態で、選択された出力レベルにおける電流が最小出力となり、調節ダイヤルが一方側とは反対側の他方側に最も回された状態で、選択された出力レベルにおける電流が最大出力となるよう構成されている。この構成によれば、施術者が調節ダイヤルを回転させることにより、選択した出力レベルの電流を徐々に大きく調整しやすい利点がある。
【００３０】
本実施形態では、具体的には、調節ダイヤルが最も右側に回された状態で、選択された出力レベルにおける電流が最小出力となり、調節ダイヤルが最も左側に回された状態で、選択された出力レベルにおける電流が最大出力となるよう構成されている。施術者は、施術準備等で右手がふさがっていることが多く、また、施術者の右手は、ジェル等で濡れていることが多い。そのため、上記構成によれば、左手を使って調整ダイヤルを操作し、比較的簡単に電流出力を微調整しやすい利点がある。
【００３１】
次に、本実施形態の電気刺激装置の作用効果について説明する。
【００３２】
施術者は、本実施形態の電気刺激装置１を、例えば以下のように操作し、被施術者Ｍの仙骨部を皮膚面から電気刺激することができる。
【００３３】
被施術者Ｍの仙骨部の皮膚面に仙骨用通電パッド２を接触させる。また、下腹部の皮膚面等、被施術者Ｍの仙骨部以外の皮膚面に通電マット３を接触させる。本実施形態では、後述するように、仙骨用通電パッド２は皮膚面に貼ることが可能に構成されているので、ここでは、仙骨部の皮膚面に仙骨用通電パッド２を貼ることになる。また、通電マット３は、被施術者Ｍに通電可能であれば、濡れタオル等を巻いた状態で使用することができる。
【００３４】
次いで、出力レベル選択部４１にて選択した出力レベルに応じた電流が、選択した出力レベルにおける最大出力のまま装置本体部４から出力されるのを避けるため、選択した出力レベルにおける最大出力の電流が、初めは最小出力で装置本体部４から出力されるように、調整部４２を予め操作して調整しておく。本実施形態では、調整部４２としての調整ダイヤルを最も右側に回しておく。
【００３５】
次いで、出力レベル選択部４１にて、電流の最大出力がそれぞれ異なる複数の出力レベルのうちから出力レベルを１つ選択する。その後、選択した出力レベルに応じた電流を発生させる。本実施形態では、スタート部４３のスタートボタン４３０がタッチされることで、電流の出力が開始される。この際、選択した出力レベルにおける電流は、最小出力で装置本体部４から出力される。また、電流の出力を開始する前に、タイマー部４６により通電時間のタイマー設定を任意に実施することができる。
【００３６】
次いで、調整部４２を操作することにより、選択した出力レベルに応じた電流を、最小出力から、選択された出力レベルにおける最大出力まで、徐々に調整する。これにより、被施術者Ｍの身体の状態に合わせて、被施術者Ｍに通電する電流をできる限り細かく調整しながら、仙骨部を皮膚面から電気刺激することができる。
【００３７】
また、本実施形態の電気刺激装置１は仙骨用通電パッド２と通電マット３とを有しているので、施術者が１人の被施術者Ｍにかかりきりになることがなくなり、施術時における施術者の手離れがよい。それ故、本実施形態の電気刺激装置１によれば、施術者１人で同じ時間帯に、複数の被施術者Ｍに対応することが可能となり、人件費等のコストの低減に有利である。また、本実施形態の電気刺激装置１によれば、被施術者Ｍ自身が本実施形態の電気刺激装置１を操作して、被施術者Ｍの仙骨部に電気刺激を与えることも可能になる。
【００３８】
本実施形態において、仙骨用通電パッド２は、図５、図６に例示されるように、電極層２０と、電極層２０の一方層面に積層された導電性粘着層２１と、を有する構成とすることができる。この構成によれば、導電性粘着層２１を介して電極層２０から被施術者Ｍに電流を流すことができる。そのため、この構成によれば、電極層２０を被施術者Ｍに直接接触させる場合に比べ、電流の出力が大きくなっても、通電時に被施術者Ｍがピリピリとした感じを受け難くなり、被施術者Ｍが心地よく電気刺激を受けやすくなる。電極層２０は、具体的には、電気外科用中性電極等より構成することができる。電極の材質としては、例えば、アルミニウムまたはアルミニウム合金等の金属より構成される金属箔などを例示することができる。また、導電性粘着層２１は、例えば、医療現場で使用されている皮膚にやさしい粘着材料等により構成することができる。なお、図５では、電極層２０が、後述するコネクタ５が接続されるタブ部２０１を有している例が示されている。
【００３９】
また、仙骨用通電パッド２は、電極層２０の他方層面に積層された粘着性スポンジ層２２と、電極層２０側とは反対側の粘着性スポンジ層２２の層面に積層されたプラスチックフィルム層２３と、をさらに有する構成とすることができる。この構成によれば、仙骨用通電パッド２を柔らかく構成することができる。なお、図５では、粘着性スポンジ層２２が、電極層２０の外形よりも外側にはみ出した貼り代部２２０を有する例が示されている。この構成によれば、導電性粘着層２１のみならず、粘着性スポンジ層２２の貼り代部２２０の粘着性も利用して、仙骨用通電パッド２を仙骨部の皮膚面に密着させることが可能となり、仙骨用通電パッド２を仙骨部の皮膚面に単に接触させる場合に比べ、電流の通りをよくすることが可能になる。
【００４０】
電極層２０の長さＬは、具体的には、７０ｍｍ以上１５０ｍｍ以下、電極層２０の幅Ｗは、５０ｍｍ以上８０ｍｍ以下であるとよい。この構成によれば、仙骨部の皮膚面を概ね覆うことができるので、仙骨部の電気刺激を効果的に実施しやすくなる。電極層２０の長さＬは、好ましくは、８０ｍｍ以上１４０ｍｍ以下、より好ましくは、９０ｍｍ以上１３０ｍｍ以下、さらに好ましくは、１００ｍｍ以上１２０ｍｍ以下とすることができる。また、電極層２０の幅Ｗは、好ましくは、６５ｍｍ以上７５ｍｍ以下とすることができる。
【００４１】
本実施形態において、仙骨用通電パッド２は、図２に例示されるように、ケーブル４０１の一端に設けられたコネクタ５を介して取り外し可能に接続されることができる。この構成によれば、仙骨用通電パッド２を施術ごとに新品に取り換えることができるので、衛生管理をしやすい電気刺激装置１が得られる。
【００４２】
コネクタ５は、具体的には、例えば、図７に例示されるように、コネクタハウジング５０の内部空間５０１内に配置された内部端子５１と、コネクタハウジング５０に設けられ、内部端子５１に電極層２０の一部を当接させて固定するためのクリップ部５２と、を有している。このコネクタ５では、コネクタハウジング５０の内部空間５０１に仙骨用通電パッド２の電極層２０の一部（本実施形態では、上述したタブ部２０１）を挿入した後、クリップ部５２を倒し込むことにより、内部端子５１とクリップ部５２との間に電極層２０の一部が挟み込まれた状態で固定され、電気的な接続が得られるようになっている。また、本実施形態では、倒し込まれたクリップ部５２を起こすことにより、仙骨用通電パッド２の電極層２０をコネクタ５から外すことができるようになっている。
【００４３】
本実施形態において、装置本体部４は、図３に例示するように、少なくとも１つの第１端子４７１と、１つの第２端子４７２とを有している。本実施形態では、具体的には、２つの第１端子４７１は、マイナス端子であり、第２端子４７２は、プラス端子である。電気刺激装置１では、仙骨用通電パッド２に接続されたケーブル４０１の端部に設けられた第１コネクタ４０１ｃが、第１端子４７１の１つに接続され、通電マット３に接続されたケーブル４０２の端部に設けられた第２コネクタ４０２ｃが、第２端子４７２に接続される。この構成によれば、余った第１端子４７１に他の部材を電気的に接続することができる。他の部材としては、例えば、施術者の足裏により踏まれて使用される板状電極（不図示）等を例示することができる。この構成によれば、仙骨部への電気刺激と、従来の施術者の手による電気刺激との両方を１つの装置で実現可能な電気刺激装置１を構成することが可能になる。
【００４４】
本実施形態において、通電マット３は、図８、図９に例示されるように、導電性布３１と、導電性布３１の一方面に積層された防水布３２と、を有する構成とすることができる。この構成によれば、比較的簡易な構成で一方面が防水された電極を構成することができる。導電性布３１の材料としては、例えば、銅、銅合金、ステンレス、アルミニウム、アルミニウム合金、ニッケル、ニッケル合金等からなる金属繊維などを例示することができる。このような金属繊維によれば、導電性を確保しつつ、マット状に形成しやすい利点がある。なお、導電性布３１と防水布３２とは、互いに縫製等によって一体化されることができる。
【００４５】
本考案は、上記実施形態に限定されるものではなく、その要旨を逸脱しない範囲において種々の変更が可能である。例えば、上記実施形態において、調節ダイヤルが最も左側に回された状態で、選択された出力レベルにおける電流が最小出力となり、調節ダイヤルが最も右側に回された状態で、選択された出力レベルにおける電流が最大出力となるよう構成することもできる。また例えば、上記実施形態では、各出力レベルにおける電流の最小出力をほぼ同等とした例について説明したが、各出力レベルにおける電流の最小出力は、それぞれ異なっていてもよい。また例えば、上記実施形態では、調整部を調整ダイヤルで構成した場合について説明したが、調整部は、他にも、調整スライド、調整レベルゲージ等により構成することも可能である。
【符号の説明】
【００４６】
１  電気刺激装置
２  仙骨用通電パッド
３  通電マット
４  装置本体部
４０１、４０２  ケーブル
４１  出力レベル選択部
４２  調整部
Ｍ  被施術者
【図１】
0003217111.tif 000003
【図２】
0003217111.tif 000004
【図３】
0003217111.tif 000005
【図４】
0003217111.tif 000006
【図５】
0003217111.tif 000007
【図６】
0003217111.tif 000008
【図７】
0003217111.tif 000009
【図８】
0003217111.tif 000010
【図９】
0003217111.tif 000011